(57)【要約】【課題】メインパネルとサブパネルとを共通の駆動用ＩＣで駆動する形態の電気光学装置において、サブパネルの表示品質を損なうことなく、メインパネルの狭額縁化を図ることのできる電気光学装置を提供する。【解決手段】本発明の電気光学装置は、第１走査線１５及びデータ線１９を有するメインパネル（表示領域Ｈ１）と、第２走査線３５並びにデータ線１９と電気的に接続されたデータ線３７を有するサブパネル（表示領域Ｈ２）と、メインパネルとサブパネルの双方に信号を供給する駆動用半導体素子とを備える。第２走査線３５はメインパネルを経由して駆動用半導体素子と電気的に接続される。また、サブパネル上の隣り合う２つのデータ線３７と１つの第２走査線３５との交差に対応する２つの画素領域Ｐ２Ａ，Ｐ２Ｂはデータ線３７の延在方向に並び、前記１つの第２走査線３５は前記２つの画素領域Ｐ２Ａ，Ｐ２Ｂに対して走査信号を供給する。【選択図】図５
2007156126.tif 000002
【特許請求の範囲】
【請求項１】
複数の第１走査線及び複数のデータ線を有する第１パネルと、
複数の第２走査線及び前記第１パネルに設けられたデータ線と電気的に接続された複数のデータ線を有する第２パネルと、
前記第１パネルと前記第２パネルの双方に電気信号を供給する駆動用半導体素子と、を備え、
前記第２走査線は、前記第１パネルを経由して前記駆動用半導体素子と電気的に接続され、
前記第２パネルに設けられた複数のデータ線のうち隣り合う２つのデータ線と前記複数の第２走査線のうち１つの走査線との交差に対応する２つの画素領域が、当該第２パネルに設けられたデータ線の延在方向に並び、前記１つの第２走査線は、前記２つの画素領域に対して走査信号を供給することを特徴とする電気光学装置。
【請求項２】
前記複数の第１走査線と前記第１パネルに設けられた複数のデータ線との交差に対応する複数の交差領域のうち、前記第２パネルに設けられたデータ線と電気的に接続された第１データ線に対応する交差領域の面積が、前記第２パネルに設けられたデータ線とは電気的に接続されない第２データ線に対応する交差領域の面積よりも小さいことを特徴とする請求項１記載の電気光学装置。
【請求項３】
前記第１パネルに設けられた複数のデータ線のうち、前記第２パネルに設けられたデータ線と電気的に接続された第１データ線の抵抗が、前記第２パネルに設けられたデータ線とは電気的に接続されない第２データ線の抵抗よりも小さいことを特徴とする請求項１又は２記載の電気光学装置。
【請求項４】
前記第１パネルには、複数の前記第１走査線と前記第１パネルに設けられた複数のデータ線との各交差領域に対応して複数のサブ画素が配列されており、かつ前記複数のサブ画素と重なる領域に配置された複数の色の着色層を備えたカラーフィルタが設けられ、
前記複数のサブ画素のうち、前記第２パネルに設けられたデータ線と電気的に接続された第１データ線に対応するサブ画素に重なる領域には、前記複数の色のうちの所定の色の着色層が配置され、前記第２パネルに設けられたデータ線とは電気的に接続されない第２データ線に対応するサブ画素に重なる領域には、前記複数の色のうちの前記所定の色以外の色の着色層が配置されていることを特徴とする請求項１〜３のいずれかの項に記載の電気光学装置。
【請求項５】
前記第２パネルに設けられたデータ線及び前記第１パネルに設けられたデータ線はいずれも表示電極として機能するセグメント電極であり、前記第１パネルには前記駆動用半導体素子にそれぞれ電気的に接続された前記第１走査線として機能するコモン電極が設けられ、前記セグメント電極と前記コモン電極の交差する領域に前記サブ画素の領域が構成されていることを特徴とする請求項４記載の電気光学装置。
【請求項６】
前記カラーフィルタの前記着色層の前記複数の色は赤色と緑色と青色とを有し、前記第１データ線に対応するサブ画素に重なる領域には、前記赤色若しくは前記緑色の着色層が配置されていることを特徴とする請求項４又は５記載の電気光学装置。
【請求項７】
前記第２パネルには、前記第２走査線と前記第２パネルに設けられた複数のデータ線との各交差領域に対応して複数のサブ画素が配列されており、かつ当該複数のサブ画素と重なる領域に配置された複数の色の着色層を備えたカラーフィルタが設けられていることを特徴とする請求項１〜６のいずれかの項に記載の電気光学装置。
【請求項８】
請求項１〜７のいずれかの項に記載の電気光学装置を備えたことを特徴とする電子機器。
【発明の詳細な説明】
【技術分野】
【０００１】
本発明は、電気光学装置及び電子機器に関し、特にメインパネルとサブパネルとを備え、これらを一つの駆動用半導体素子で駆動する形態の電気光学装置に関するものである。
【背景技術】
【０００２】
近年、携帯電話機等の携帯用電子機器においては、例えば画像情報表示用として高精細のカラー表示が可能なメインパネルと、メインパネルよりも小型で日付、時計等の簡易な表示が可能なサブパネルとを表示部の両面に備えたものが提供されている。このようなメイン、サブの２つのパネルを備えた表示モジュールの場合、特に携帯機器に用いられる際には小型化、狭額縁化が要求される。そこで、１個の駆動用ＩＣを２つのパネルで共有化し、この駆動用ＩＣから供給する駆動信号で２つのパネルを駆動するものが提案されている（例えば、特許文献１参照）。この種の電気光学装置では、２つのパネルに別々の駆動用ＩＣを設置する必要がないため、小型化、狭額縁化が図れるとともに、部品点数の削減が図れることでコストの低減が実現できる。
【特許文献１】特開２００４−２９４７４７号公報
【発明の開示】
【発明が解決しようとする課題】
【０００３】
上述したような電気光学装置の場合、サブパネルにコモン信号を供給するために、メインパネル上に設けられた駆動用ＩＣにサブパネルのコモン電極を引き回すことが行なわれる。しかしながら、このような構成の場合、サブパネルの表示品質を高めるためにサブパネルのコモン電極を多くしようとすると、メインパネルの額縁領域が広くなってしまい、十分な狭額縁化が図れなくなるという問題があった。
【０００４】
本発明は、上記の課題を解決するためになされたものであって、メインパネルとサブパネルとを共通の駆動用ＩＣで駆動する形態の電気光学装置において、サブパネルの表示品質を損なうことなく、メインパネルの狭額縁化を図ることのできる電気光学装置、およびこれを備えた電子機器を提供することを目的とする。
【課題を解決するための手段】
【０００５】
上記の課題を解決するため、本発明の電気光学装置は、複数の第１走査線及び複数のデータ線を有する第１パネルと、複数の第２走査線及び前記第１パネルに設けられたデータ線と電気的に接続された複数のデータ線を有する第２パネルと、前記第１パネルと前記第２パネルの双方に電気信号を供給する駆動用半導体素子と、を備え、前記第２走査線は、前記第１パネルを経由して前記駆動用半導体素子と電気的に接続され、前記第２パネルに設けられた複数のデータ線のうち隣り合う２つのデータ線と前記複数の第２走査線のうち１つの走査線との交差に対応する２つの画素領域が、当該第２パネルに設けられたデータ線の延在方向に並び、前記１つの第２走査線は、前記２つの画素領域に対して走査信号を供給することを特徴とする。
この構成によれば、第２パネルに設けられた１つの走査線と、第２パネルに設けられた複数のデータ線のうち隣り合う２つのデータ線との交差に対応する２つの画素領域が、データ線の延在方向に並ぶので、第１パネルの額縁領域に引き回され第２パネルの走査線に電気的に接続される配線の本数を通常の半分の本数に減らすことができる。このように、１つの走査線と、隣り合う２つのデータ線との交差に対応する２つの画素領域が、データ線の延在方向に並ぶ構造は「２重マトリクス構造」と呼ばれ、デューティー数を半分にしてオン・オフ比を大きくすることが可能な構造として知られている。ただし、この構造においては、走査線の本数を半分に減らせる一方で、データ線の本数が２倍に増えるという欠点もある。ここで、一方をメインパネル（第１パネル）、他方をサブパネル（第２パネル）として備える電気光学装置においては、メインパネルである第１パネルの画素数がサブパネルである第２パネルの画素数よりも多いのが一般的であり、第２パネルのデータ線を第１パネルのデータ線を経由して駆動用半導体素子に接続しようとすると、第１パネルの全てのデータ線が第２パネルのデータ線と接続されるわけではなく、その中の一部が第２パネルのデータ線と接続されずに残った状態となる。特に第１パネルをカラー表示とした場合には、１つの画素に複数のサブ画素が配置されるため、第２パネルのデータ線に接続される第１データ線の割合は更に小さなものとなる。このような事情のもとでは、仮に２重マトリクス構造を採用して第２パネルのデータ線の本数が増えたとしても、特にそれが第１パネルのデータ線の本数と同じかそれよりも少ない場合は何らの問題も生じず、２重マトリクス構造を採用したことの利点のみが得られることになる。このように２重マトリクス構造によって第２パネルの走査線の本数が減ると、これを引き回すために必要な第１パネルの額縁領域が小さくなるだけでなく、駆動用半導体素子に設ける端子の数が減るため、その分駆動用半導体素子の小型化及び低コスト化が図られることになる。
【０００６】
なお、上述の２重マトリクス構造は、パッシブマトリクス方式及びアクティブマトリクス方式のいずれにも適用可能な構造である。例えば、「第１パネル」及び「第２パネル」がパッシブマトリクス方式の液晶装置の場合には、「第１パネル上のデータ線」及び「第２パネル上のデータ線」は液晶駆動用のセグメント電極を意味し、「第１パネル上の第１走査線」及び「第２パネル上の第２走査線」は液晶駆動用のコモン電極を意味する。また、「第１パネル」及び「第２パネル」がアクティブマトリクス方式の液晶装置の場合には、「第１パネル上のデータ線」及び「第２パネル上のデータ線」は画素スイッチング素子に接続されたデータ線を意味し、「第１パネル上の第１走査線」及び「第２パネル上の第２走査線」は画素スイッチング素子に接続された走査線を意味する。また、２重マトリクス構造は、モノクロ表示パネル及びカラー表示パネルのいずれにも適用可能な構造であり、「第１パネル」及び「第２パネル」がモノクロ表示パネルの場合には、「画素領域」とは白黒表示を行なうそれぞれの画素領域を意味し、「第１パネル」及び「第２パネル」がカラー表示パネルの場合には、「画素領域」とは赤、緑、青等のカラー表示を行なうそれぞれのサブ画素領域を意味する。さらに、上述の「第１パネル」及び「第２パネル」には液晶パネルに限らず、有機ＥＬパネル等の他の電気光学パネルを用いてもよい。なお、電気光学パネル又は電気光学装置とは、電界により物質の屈折率が変化して光の透過率を変化させる電気光学効果を有するものの他、電気エネルギーを光学エネルギーに変換するもの等も含んで総称している。例えば、電気光学物質としては、対向する電極間に挟持された液晶素子や、有機或いは無機のＥＬ素子が挙げられる。
【０００７】
本発明においては、前記第１パネルに設けられた複数の前記データ線のうち、前記第２パネルに設けられた前記データ線と電気的に接続された第１データ線の容量が、前記第２パネルに設けられた前記データ線とは電気的に接続されない第２データ線の容量よりも小さいことが望ましい。また本発明においては、前記第１パネルに設けられた複数の前記データ線のうち、前記第２パネルに設けられた前記データ線と電気的に接続された第１データ線の抵抗が、前記第２パネルに設けられた前記データ線とは電気的に接続されない第２データ線の抵抗よりも小さいことが望ましい。
第１パネルのデータ線に、第２パネル上のデータ線と接続された第１データ線と、第２パネル上のデータ線と接続されていない第２データ線とが存在する場合、これら２種類のデータ線において、データ線につながる容量又はデータ線の抵抗が異なるため、両者の間で駆動能力が異なるという問題がある。すなわち、第２パネル上のデータ線に接続されておらず且つデータ線につながる容量又はデータ線の抵抗が小さい第２データ線は駆動能力が高く、第２パネル上のデータ線に接続され且つデータ線につながる容量又はデータ線の抵抗が大きい第１データ線は駆動能力が低くなり、その結果、第１パネルに表示ムラが発生する虞があった。特に、第１パネルではカラー表示が行われる場合が多いため、画面上での色ムラが問題となる。
上記特許文献１でも同様の問題点を抱えているが、ここでは第１パネル上の走査信号駆動回路にゲート信号線に接続されていないダミー用の回路を設けることで問題点の解決を図っている。しかしながら、この方法では、駆動回路の構成が複雑になり、新たな回路設計が必要になるという欠点があった。
これに対して、本発明の電気光学装置では、第１パネル上のデータ線のうち、第２パネル上のデータ線に接続された第１データ線につながる容量（データ線と走査線との交差領域の面積に比例する）又は第１データ線の抵抗を、第２パネル上のデータ線に接続されていない第２データ線につながる容量又は第２データ線の抵抗よりも小さくしたことによってこの問題を解決している。すなわち、第２パネルのデータ線に電気的に接続されることでデータ線につながる容量又はデータ線の抵抗が大きくなりがちな第１データ線においては、そのデータ線の幅等を制御することによって、第１データ線につながる容量又はデータ線の抵抗を小さくし、第１データ線と第２配線の負荷容量を近づけるようにしている。その結果、第１データ線と第２データ線の信号の駆動能力を近づけることができ、表示ムラを抑えることができる。また、本発明の構成は、データ線形成時のマスクパターンの幅等を一部変更するのみで実現できるため、製造プロセス上の負担が掛からず、特許文献１のように駆動回路の構成が複雑になることもない。
【０００８】
本発明においては、前記第１パネルには、複数の前記第１走査線と前記第１パネルに設けられた複数のデータ線との各交差領域に対応して複数のサブ画素が配列されており、かつ前記複数のサブ画素と重なる領域に配置された複数の色の着色層を備えたカラーフィルタが設けられ、前記複数のサブ画素のうち、前記第２パネルに設けられたデータ線と電気的に接続された第１データ線に対応するサブ画素に重なる領域には、前記複数の色のうちの所定の色の着色層が配置され、前記第２パネルに設けられたデータ線とは電気的に接続されない第２データ線に対応するサブ画素に重なる領域には、前記複数の色のうちの前記所定の色以外の色の着色層が配置されているものとすることができる。
この構成によれば、本発明の電気光学装置をカラー表示とした場合に各色のサブ画素間での駆動能力のバランスが良くなるため、表示色の調整が可能となり、色ムラを含む表示ムラを低減させることができる。
【０００９】
本発明においては、前記第２パネルに設けられたデータ線及び前記第１パネルに設けられたデータ線はいずれも表示電極として機能するセグメント電極であり、前記第１パネルには、前記駆動用半導体素子にそれぞれ電気的に接続された前記第１走査線として機能するコモン電極が設けられ、前記セグメント電極と前記コモン電極の交差する領域に前記サブ画素の領域が構成されているものとすることができる。
ここで、第１パネルが例えばカラーフィルタを備え、カラー表示を行うものであって、パッシブマトリクス方式である場合には、第１パネル上のデータ線（すなわちセグメント電極である表示電極）の幅を変えることは各色毎のサブ画素の面積を変えることと等価である。したがって、第１データ線の幅を第２データ線の幅より小さくした場合、例えばカラーフィルタが３色の着色層を備えるものであれば、３色のうちの１色のサブ画素は常に他の２色のサブ画素よりも面積が小さいことになる。このように、複数の基本色のうちの所定の色のサブ画素の面積を他の色のサブ画素と変えることによって、表示ムラを抑えつつ第１パネルの表示色を調整することができる。
【００１０】
本発明においては、前記カラーフィルタの前記着色層の前記複数の色は赤色と緑色と青色とを有し、前記第１データ線に対応するサブ画素に重なる領域には、前記赤色若しくは前記緑色の着色層が配置されているものとすることができる。
第１パネルとして例えば液晶パネルを用いた場合、各種構成部材の影響で白色が黄色味がかってしまうことがあり、見栄えを悪くする。この表示色は黄色の補色である青色の色調を強くすることで改善することができる。したがって、第２パネルのデータ線に接続される第１データ線を赤色着色層もしくは緑色着色層に対応するサブ画素に設けると、これらのサブ画素に比べて青色のサブ画素の面積が相対的に大きくなり、ホワイトバランスを良好な状態とすることができる。
【００１１】
本発明においては、前記第２パネルには、前記第２走査線と前記第２パネルに設けられた複数のデータ線との各交差領域に対応して複数のサブ画素が配列されており、かつ当該複数のサブ画素と重なる領域に配置された複数の色の着色層を備えたカラーフィルタが設けられているものとすることができる。
この構成によれば、第１パネルと第２パネルの双方においてカラー表示が可能となる。また、第１パネル上において第２パネル上のデータ線と接続されないデータ線（第２データ線）の本数が更に少なくなるため、第１パネル及び第２パネルの双方の配線をコンパクトにまとまることができる。特に、データ線の配列方向に配列する第１パネルと第２パネルの画素数の比を２：１とした場合、第１パネル上のデータ線は全て第２パネル上のデータ線と接続されるため、データ線同士の間で容量や抵抗のバラツキ等が生じなくなり、その結果、上述のようにデータ線の幅等を調節する等の工夫をしなくても、良好な表示特性が得られるようになる。
【００１２】
本発明の電子機器は、前述した本発明の電気光学装置を備えたことを特徴とする。
この構成によれば、特に第１パネルにおいて額縁領域が狭く且つ第２パネルにおいても表示品位に優れた表示部を備えた電子機器を提供することができる。
【発明を実施するための最良の形態】
【００１３】
以下、本発明の実施の形態について図面を参照しながら説明する。なお、以下の説明においては、ＸＹＺ直交座標系を設定し、このＸＹＺ直交座標系を参照しつつ各部材の位置関係について説明する。そして、水平面内における所定方向をＸ軸方向、水平面内においてＸ軸方向と直交する方向をＹ軸方向、Ｘ軸方向及びＹ軸方向のそれぞれに直交する方向（すなわち鉛直方向）をＺ軸方向とする。
【００１４】
［第１の実施の形態］
まず、電気光学装置の第１実施形態として、２枚の液晶パネルを備えた液晶モジュール（液晶装置）を説明する。図１は、本実施形態の液晶モジュール１の全体構成を示す斜視図、図２は、同液晶モジュール１の断面図、図３は、図１及び図２においてフレキシブルコネクタの部分で折り曲げられた液晶モジュール１を展開した状態で示す概略平面図、図４は、同詳細平面図、図５は、同液晶モジュール１の各パネルにおける各画素の形状を示す平面図、である。
【００１５】
本実施形態の液晶モジュール１は、図１に示すように、メインパネル２（第１液晶パネル）と、サブパネル３（第２液晶パネル）と、これらの間に配置されたバックライト４と、メインパネル２とサブパネル３とを接続するフレキシブルコネクタ５と、メインパネル２上に実装された駆動用ＩＣ６（駆動用半導体素子）と、駆動用ＩＣ６に外部から信号を供給するためのフレキシブル基板７とから概略構成されている。この液晶モジュール１は、例えば携帯電話機等の表示部の両面で表示を行う用途に用いられるものであり、メインパネル２は図１における上側が視認側であり、サブパネル３は図１における下側が視認側である。また、本実施形態では、メインパネル２がカラー表示、サブパネル３が白黒表示を行うものであり、メインパネル２、サブパネル３ともにパッシブマトリクス方式の透過型液晶パネルの例である。
【００１６】
液晶モジュール１の各部の詳細な構成を説明する。
図２に示すように、メインパネル２とサブパネル３との間にバックライト４が設けられている。バックライト４は光源８と導光板９とを有しており、導光板９は光源８から出た光Ｌをメインパネル２側とサブパネル３側の両面に射出する構成となっている。
【００１７】
メインパネル２については、ともにガラス、プラスチック等の透明基板からなる第１基板１１（視認側の基板）と第２基板１２（バックライト側の基板）とがシール材１３を介して所定の間隔をおいて貼り合わされ、これら基板１１，１２とシール材１３とに囲まれた領域に液晶１４が封入されている。第２基板１２の液晶側の面には、インジウム錫酸化物（Indium Tin Oxide, 以下、ＩＴＯと略記する）等の透明導電膜からなる複数のコモン電極１５がストライプ状に形成され、これらコモン電極１５を覆うように配向膜１６が形成されている。
【００１８】
一方、第１基板１１の液晶側の面には、基板側から順にカラーフィルタ１７、オーバーコート層１８（平坦化層）、セグメント電極１９、配向膜２０が設けられている。セグメント電極１９の両端はセグメント電極１９の引回し配線２１，２２となってシール材１３の外側に延在している。第１基板１１の外形は第２基板１２の外形よりも大きく、第２基板１２の外側に張り出した第１基板１１の張り出し領域の一方（図２における左側の部分）には駆動用ＩＣ６が実装されている。駆動用ＩＣ６の出力端子はセグメント電極１９の一方の引回し配線２２に接続され、駆動用ＩＣ６の入力端子は外部接続端子２３を介してフレキシブル基板７に接続されている。第１基板１１の張り出し領域の他方（図２における右側の部分）にはフレキシブルコネクタ５が実装され、セグメント電極１９の他方の引回し配線２１と電気的に接続されている。また、第１基板１１の液晶と反対側の面には第１位相差板２４、第２位相差板２５、偏光板２６がそれぞれ設けられている。第２基板１２の液晶と反対側の面には位相差板２７、偏光板２８がそれぞれ設けられている。
【００１９】
サブパネル３については、ともにガラス、プラスチック等の透明基板からなる第１基板３１（視認側の基板）と第２基板３２（バックライト側の基板）とがシール材３３を介して所定の間隔をおいて貼り合わされ、これら基板３１，３２とシール材３３とに囲まれた領域に液晶３４が封入されている。第２基板３２の液晶側の面には、ＩＴＯ等の透明導電膜からなる複数のコモン電極３５がストライプ状に形成され、これらコモン電極３５を覆うように配向膜３６が形成されている。
【００２０】
一方、第１基板３１の液晶側の面には、セグメント電極３７、配向膜３８が設けられており、サブパネル３にはカラーフィルタは設けられていない。セグメント電極３７の一端はセグメント電極３７の引回し配線３９となってシール材３３の外側に延在している。第１基板３１の外形は第２基板３２の外形よりも大きく、第１基板３１の張り出し領域にはフレキシブルコネクタ５が実装され、セグメント電極３７の引回し配線３９と電気的に接続されている。また、第１基板３１の液晶と反対側の面には偏光板４０が設けられ、第２基板３２の液晶と反対側の面には基板側から順に偏光板４１、半透過反射板４２が設けられている。サブパネル３の最もバックライト側の面に半透過反射板４２が設けられたことによって、バックライト４からサブパネル側に射出された光の一部が半透過反射板４２で反射してメインパネル側に向けて射出されるため、メインパネル２の明るさを向上させることができる。
【００２１】
次に、各パネルの電極の構成について説明する。
図３は、電極の接続関係を見やすくするため、電極を１本の実線で示した図である。図４は、電極を、シール材等の構成部材も含めて図３よりも実体的に示した図である。
メインパネル２においては、図４に示すように、基板の外周に沿ってシール材１３が矩形環状に設けられているとともに、シール材１３の内側には周辺見切りなどと呼ばれる周辺遮光膜４４が矩形環状に設けられている。周辺遮光膜４４に囲まれた内側の領域が表示領域Ｈ１となる。表示領域Ｈ１には、Ｙ方向に延在する複数のセグメント電極（データ線）１９がストライプ状に形成されている。一方、セグメント電極１９と直交するようにＸ方向に延在する複数のコモン電極（第１走査線）１５がストライプ状に形成されている。ここで、セグメント電極１９とコモン電極１５とが互いに交差することにより、平面的に見て重なり合った矩形状の領域が形成され、この領域がメインパネル２上の「サブ画素」を構成する。また、表示領域Ｈ１における各サブ画素には、カラー表示を行うべく、カラーフィルタの赤（Ｒ）、緑（Ｇ）、青（Ｂ）の各色からなる着色層が設けられている。そして、Ｒ、Ｇ、Ｂの３個のサブ画素でカラー表示可能な１つの表示単位となる１個の画素が構成される。
【００２２】
一方、サブパネル３においては、基板の外周に沿ってシール材３３が矩形環状に設けられており、このシール材３３に囲まれた内側の領域が表示領域Ｈ２となる。表示領域Ｈ２には、各々がメインパネル２のセグメント電極１９と電気的に接続され、Ｙ方向に延在する複数のセグメント電極（データ線）３７がストライプ状に形成されている。一方、セグメント電極３７と直交するようにＸ方向に延在する複数のコモン電極（第２走査線）３５がストライプ状に形成されている。ここで、セグメント電極３７とコモン電極３５とが互いに交差することにより、平面的に見て重なり合った矩形状の領域が形成され、この領域がサブパネル３上の「画素」を構成する。このサブパネル３上の「画素」は、それぞれ白黒表示可能な１つの表示単位を構成するものである。
【００２３】
図３に示すように、メインパネル２上の全てのセグメント電極１９、コモン電極１５とサブパネル３上の全てのセグメント電極３７、コモン電極３５は、メインパネル２上に実装された駆動用ＩＣ６に電気的に接続されており、駆動用ＩＣ６からの駆動信号（コモン電極に供給される走査信号及びセグメント電極に供給されるデータ信号）がこれら全ての電極に供給される構成となっている。駆動用ＩＣ６から見ると、電極及び配線の接続関係は、メインパネル２上のセグメント電極１９、フレキシブルコネクタ５上の配線４５、サブパネル３上のセグメント電極３７の順に直列接続された形態となっている。メインパネル２上のセグメント電極１９のうち、一部はサブパネル３上のセグメント電極３７に接続された電極１９ａ（第１データ線）であり、それ以外はサブパネル３上のセグメント電極３７に接続されていない電極１９ｂ（第２データ線）となっている。
【００２４】
本実施形態の場合、カラーフィルタ１７の着色層の配置パターンは縦ストライプ型であり、図３、図４のＸ方向（コモン電極１５の延在する方向）にＲ，Ｇ，Ｂ，Ｒ，Ｇ，Ｂ，…の順に繰り返し配列されている。そして、全てのＲのサブ画素及びＧのサブ画素に対応するセグメント電極１９ａにサブパネル３上のセグメント電極３７が接続され、全てのＢのサブ画素に対応するセグメント電極１９ｂにはサブパネル３上のセグメント電極３７が接続されていない。したがって、図３に示すように、メインパネル２上において、サブパネル３上のセグメント電極３７が接続されていないセグメント電極１９ｂは２本おきに配置されたことになる。
【００２５】
なお、コモン電極１５については、駆動用ＩＣ６が実装された基板と反対側の基板に形成されているため、駆動用ＩＣ６からの信号をコモン電極１５に供給するためには、コモン電極１５と引回し配線４６とを２枚の基板間で導通させる必要がある。そこで、シール材１３の中に金属で被覆された導通粒子を含有させておき、図４に示すように、コモン電極１５の一端と引き回し配線４６の一端をシール材１３と重なる位置まで延在させ、この箇所で基板間を導通させる構成を採っている。図３に示すように、メインパネル２については、駆動用ＩＣ６とコモン電極１５とを、駆動用ＩＣ６、引き回し配線４６、シール材１３中の導通粒子４７、コモン電極１５という経路で接続している。一方、サブパネル３については、駆動用ＩＣ６とコモン電極３５とを、駆動用ＩＣ６、メインパネル２内の引回し配線４８、フレキシブルコネクタ５上の引回し配線４９、サブパネル３上の引回し配線５０、シール材中の導通粒子５１、コモン電極３５という経路で接続している。
【００２６】
図５（ａ）及び図５（ｂ）は、それぞれメインパネル２及びサブパネル３の表示領域を示す平面模式図である。
図５（ａ）に示すように、メインパネル２の表示領域Ｈ１には、Ｙ方向に延在する複数のセグメント電極１９と、Ｘ方向に延在する複数のコモン電極１５とが設けられており、これら複数のセグメント電極１９と複数の前記コモン電極１５との各交差領域に対応して複数のサブ画素Ｄｒ，Ｄｇ，Ｄｂが配列されている。サブ画素Ｄｒ、Ｄｇ及びＤｂには、それぞれカラーフィルタの赤（Ｒ）、緑（Ｇ）及び青（Ｂ）の着色層が対応しており、これら３つのサブ画素Ｄｒ，Ｄｇ，Ｄｂによって１つの画素Ｐ１が構成されている。
【００２７】
一方、図５（ｂ）に示すように、サブパネル３の表示領域Ｈ２には、各々がメインパネル２のセグメント電極１９と電気的に接続された複数のセグメント電極３７と、Ｘ方向に延在する複数のコモン電極３５とが設けられており、これら複数のセグメント電極３７と複数の前記コモン電極３５との各交差領域に対応して複数の画素Ｐ２が配列されている。
【００２８】
ここで、セグメント電極３７は、Ｙ方向に延びる本線部３７１と、該本線部３７１に接続された複数の拡幅部３７２とを有している。拡幅部３７２はそれぞれがサブパネル３の画素Ｐ２に対応している。各拡幅部３７２はＹ方向に沿って１画素おきに配列されており、隣り合うセグメント電極３７との間で拡幅部３７２同士が互いに噛み合うように配置されている。そして、このように拡幅部３７２同士が噛み合わされた２本のセグメント電極３７によって、Ｙ方向に配列する１列分の画素Ｐ２が形成されている。また、コモン電極３５は、Ｙ方向に隣接する一対の拡幅部３７２と重なるように配置されており、これら一対の拡幅部３７２（すなわちＹ方向に隣接する２つの画素Ｐ２）が１本のコモン電極３５によって駆動されるようになっている。
【００２９】
このように、サブパネル３においては、１本のコモン電極３５に対して、該コモン電極３５の配列方向に隣接する２つの画素Ｐ２が対応しており、画素Ｐ２の配列がいわゆる２重マトリクス構造を有した配列となっている。
【００３０】
ここで、「２重マトリクス構造」とは、１つの走査線と、隣り合う２つのデータ線との交差に対応する２つの画素領域が、データ線の延在方向に並ぶ構造をいう。この２重マトリクス構造は、パッシブマトリクス方式及びアクティブマトリクス方式のいずれにも適用可能な構造であり、本実施形態のようにパッシブマトリクス方式の液晶パネルの場合、「データ線」とは液晶駆動用のセグメント電極を意味し、「走査線」とは液晶駆動用のコモン電極を意味する。
【００３１】
このような２重マトリクス構造を採用すると、例えば画素Ｐ２Ａ又はＰ２Ｂを点灯表示させたい場合、それぞれセグメント電極３７Ａ又は３７Ｂを選択して電圧を供給すれば、どちらも一つのコモン電極３５から電圧を供給することで対応可能となる。つまり、同じコモン電極の数であれば、２倍の画素数に対応できることになる。言い換えると、デューティー数を半分にしてオン・オフ比を大きくすることが可能になり、コントラストが向上する。
【００３２】
このようにサブパネル３を２重マトリクス構造とした場合、同じ画素数であればコモン電極３５の本数を半分に減らすことができる。ただし、駆動する画素の総数自体は減らないので、セグメント電極３７の本数は逆に２倍に増えるという欠点がある。しかし、液晶モジュール１では、メインパネル２のサブ画素の数がサブパネル３の画素数よりも多くなっているので、サブパネル３のセグメント電極３７をメインパネル２のセグメント電極１９を経由して駆動用ＩＣ６に接続した場合には、メインパネル２のセグメント電極１９のうち一部のみがサブパネル３のセグメント電極３７に接続され、それ以外はセグメント電極３７と接続されずに残ることになる。このような事情のもとでは、仮に２重マトリクス構造を採用してサブパネル３のセグメント電極３７の本数が増えたとしても、特にそれがメインパネル２のセグメント電極１９の本数と同じかそれよりも少ない場合は、何ら問題を生じることはなく、むしろサブパネル３のコモン電極３５の本数が減ることによって、これを引き回すために必要なメインパネル２の額縁領域が小さくなり、さらに駆動用ＩＣ６に設ける端子の数が減るため、その分駆動用ＩＣ６の小型化及び低コスト化が図られるといった利点のみが得られることとなる。
【００３３】
具体的な一例として、本実施形態の場合、メインパネル２の画素数は１２８画素（Ｘ方向）×１２８画素（Ｙ方向）であり、セグメント電極１９の本数は１２８本×３色＝３８４本であり、コモン電極１５の本数は１２８本である。一方、サブパネル３の画素数は１２８画素（Ｘ方向）×１２８画素（Ｙ方向）であり、セグメント電極３７の本数は１２８本×１色×２（２重マトリクス構造）＝２５６本であり、コモン電極３５の本数は１２８本÷２（２重マトリクス構造）＝６４本である。したがって、サブパネル３に２重マトリクス構造を適用しない場合に比べて、コモン電極３５の本数を６４本減らすことができ、これにより、メインパネル２の額縁領域に引き回されるコモン電極３５の面積も半分程度に減らすことができる。
【００３４】
［第２の実施の形態］
以下、本発明の第２の実施の形態について図６を用いて説明する。
図６は本実施形態の液晶モジュールの各パネルにおける各画素の形状を示す平面図である。本実施形態の液晶モジュールの基本構成は第１実施形態と同様であり、メインパネル２のセグメント電極１９につながる容量又はセグメント電極１９のがＲ，Ｇ，Ｂの色毎に調整されている点のみが第１実施形態と異なっている。したがって、第１実施形態と共通の構成要素には同一の符号を付し、詳細な説明は省略する。
【００３５】
上述のように、本実施形態においても、メインパネル２内のＲ及びＧのサブ画素Ｄｒ，Ｄｇに対応するセグメント電極１９ａにサブパネル３上のセグメント電極３７が接続され、Ｂのサブ画素Ｄｂに対応するセグメント電極１９ｂにはサブパネル３上のセグメント電極３７が接続されていない。この構成においては、セグメント電極１９ａとセグメント電極１９ｂとの間で、サブ画素の駆動能力にバラツキが生じる虞がある。そこで、本実施形態では、このような駆動能力のバラツキを、セグメント電極１９ａ及び１９ｂのそれぞれにつながる容量又はそれぞれの抵抗を変えることによって調節している。
【００３６】
具体的には、図６に示すように、Ｒのサブ画素Ｄｒ及びＧのサブ画素Ｄｇに対応するセグメント電極１９ａの幅Ｗｒ及びＷｇは、Ｂのサブ画素Ｄｂに対応するセグメント電極１９ｂの幅Ｗｂよりも小さく設定されている。さらに、本実施形態においては、Ｇのサブ画素Ｄｇに対応するセグメント電極１９ｂの幅Ｗｇは、Ｒのサブ画素Ｄｒに対応するセグメント電極１９ａの幅Ｗｒよりも小さく設定されている。パッシブマトリクス方式の場合、セグメント電極の幅がそのままサブ画素の水平方向の寸法に対応するので、サブ画素の水平方向の寸法は、Ｇのサブ画素、Ｒのサブ画素、Ｂのサブ画素の順に大きく設定されることになる。なお、コモン電極１５の幅Ｗｃｍは全てのサブ画素で変わらないので、サブ画素Ｄｒ，Ｄｇ，Ｄｂの垂直方向の寸法は全て同一である。
【００３７】
具体的な一例として図６に示すように、本実施形態の場合、Ｇのサブ画素に対応するセグメント電極１９ａの幅Ｗｇが６０μｍ、Ｒのサブ画素に対応するセグメント電極１９ａの幅Ｗｒが７３μｍ、Ｂのサブ画素に対応するセグメント電極１９ｂの幅Ｗｂが７７μｍ、コモン電極１５の幅Ｗｃｍが２１０μｍ、である。
【００３８】
本実施形態の液晶モジュールにおいては、サブパネル３のセグメント電極３７が接続されたことで負荷容量が大きくなりがちなメインパネル２のＲのサブ画素Ｄｒ及びＧのサブ画素Ｄｇに対応するセグメント電極１９ａの幅を狭くすることでこの配線自体につながる容量を小さくし、セグメント電極１９ａ，１９ｂの負荷容量を極力近づけるようにした。その結果、各セグメント電極１９ａ，１９ｂの信号の駆動能力を近づけることができるため、メインパネル２の表示ムラを抑えることができる。また、この構成は、配線形成時のマスクパターンの幅を一部変更するのみで実現できるため、製造プロセス上の負担が掛からず、駆動回路の構成が複雑になることもない。
【００３９】
なお、本実施形態では、駆動能力のバラツキを解消するために、Ｒ，Ｇ，Ｂの色毎にセグメント電極につながる容量を変えたが、この代わりにセグメント電極の抵抗を変えることも可能であり、更にこれらの双方を変えることも可能である。
【００４０】
［第３の実施の形態］
以下、本発明の第３の実施の形態について図７を用いて説明する。
図７は本実施形態の液晶モジュールの各パネルにおける各画素の形状を示す平面図である。本実施形態の液晶モジュールの基本構成は第１実施形態と同様であり、メインパネル２のサブ画素に接続される配線につながる容量又は配線抵抗がＲ，Ｇ，Ｂの色毎に調整されている点のみが第１実施形態と異なっている。したがって、第１実施形態と共通の構成要素には同一の符号を付し、詳細な説明は省略する。
【００４１】
本実施形態の基本的な思想は、第２実施形態と同じである。すなわち、メインパネル２内のセグメント電極１９にサブパネル３のセグメント電極３７に接続されたものと接続されないものがある場合に、その駆動能力のバラツキを、セグメント電極に接続された配線において、配線につながる容量又は配線抵抗を変えることによって調節するものである。本実施形態の場合、画素部におけるセグメント電極の幅を変えずにセグメント電極に接続された配線に対応する容量又は配線抵抗を変えることによって、両者のバランスをとっている。このような配線としては、表示領域Ｈ１から駆動用ＩＣ６に引き回される配線１９１と、表示領域Ｈ１からサブパネル３側に引き回される配線１９２とがあり、これらの一方又は双方を調節することによって良好なバランスをとることが可能になる。
【００４２】
具体的には、図７に示すように、Ｒのサブ画素Ｄｒ及びＧのサブ画素Ｄｇに対応するセグメント電極１９ａに接続される配線１９１ａの幅ｄｒ及びｄｇは、Ｂのサブ画素Ｄｂに対応するセグメント電極１９ｂに接続される配線１９１ｂの幅ｄｂよりも大きく設定されている。さらに、本実施形態においては、Ｇのサブ画素Ｄｇに対応するセグメント電極１９ｂに接続される配線１９１ａの幅ｄｇは、Ｒのサブ画素Ｄｒに対応するセグメント電極１９ａに接続される配線１９１ａの幅ｄｒよりも大きく設定されている。
【００４３】
なお、配線１９１の配線抵抗を変える方法としては、配線１９１の幅を変える以外にも配線の厚み、材料等を変える方法があり、いずれの場合にも良好な表示特性が得られる。
また、本実施形態では、駆動能力のバラツキを解消するために、Ｒ，Ｇ，Ｂの色毎にセグメント電極１９につながる配線１９１の抵抗を変えたが、この代わりに当該配線１９１につながる容量を変えることも可能であり、更にこれらの双方を変えることも可能である。また、表示領域Ｈ１からサブパネル３側に引き回される配線１９２に対しても同様の調整が可能であり、これにより更に良好なバランスが得られるようになる。
【００４４】
［第４の実施の形態］
以下、本発明の第４の実施の形態について図８を用いて説明する。
図８は本実施形態の液晶モジュールのサブパネル３の表示領域Ｈ２を示す平面図である。本実施形態の液晶モジュールの基本構成は第１実施形態と同様であり、サブパネル３の１画素を３つのサブ画素で構成した点のみが第１実施形態と異なっている。したがって、第１実施形態と共通の構成要素には同一の符号を付し、詳細な説明は省略する。
【００４５】
このサブパネル３の表示領域Ｈ２には、Ｙ方向に延在する複数のセグメント電極３７がストライプ状に形成されている。一方、セグメント電極３７と直交するようにＸ方向に延在する複数のコモン電極３５がストライプ状に形成されている。ここで、セグメント電極３７とコモン電極３５とが互いに交差することにより、平面的に見て重なり合った略矩形状の領域が形成され、この領域がサブパネル３上の「サブ画素」を構成する。また、表示領域Ｈ２における各サブ画素には、カラー表示を行うべく、カラーフィルタの赤（Ｒ）、緑（Ｇ）、青（Ｂ）の各色からなる着色層が設けられている。そして、Ｒ、Ｇ、Ｂの３個のサブ画素Ｄｒ，Ｄｇ，Ｄｂでカラー表示可能な１つの表示単位となる１個の画素Ｐ２が構成される。
【００４６】
ここで、セグメント電極３７は、Ｙ方向に延びる本線部３７１と、該本線部３７１に接続された複数の拡幅部３７２とを有している。拡幅部３７２はそれぞれがサブパネル３のサブ画素に対応している。各拡幅部３７２はＹ方向に沿って１サブ画素おきに配列されており、隣り合うセグメント電極３７との間で拡幅部３７２同士が互いに噛み合うように配置されている。そして、このように拡幅部３７２同士が噛み合わされた２本のセグメント電極３７によって、Ｙ方向に配列する１列分のサブ画素が形成されている。また、コモン電極３５は、Ｙ方向に隣接する一対の拡幅部３７２と重なるように配置されており、これら一対の拡幅部３７２（すなわちＹ方向に隣接する２つのサブ画素）が１本のコモン電極３５によって駆動されるようになっている。
【００４７】
すなわち、サブパネル３においては、１本のコモン電極３５に対して、該コモン電極３５の配列方向（上下方向）に隣接する２つのサブ画素が対応しており、サブ画素の配列がいわゆる２重マトリクス構造を有した配列となっている。
【００４８】
この構成によれば、メインパネル２とサブパネル３の双方においてカラー表示が可能となる。また、メインパネル２上においてサブパネル３上のセグメント電極３７と接続されないセグメント電極１９の本数が更に少なくなるため、メインパネル２及びサブパネル３の双方の配線をコンパクトにまとまることができる。特に、Ｘ方向に配列するメインパネル２とサブパネル３の画素数の比を２：１とした場合、メインパネル２上のセグメント電極１９は全てサブパネル３上のセグメント電極３７と接続されるため、セグメント電極同士の間で容量や抵抗のバラツキ等が生じなくなり、その結果、第２実施形態又は第３実施形態で示したような工夫を行なわなくても、良好な表示特性が得られるようになる。
【００４９】
具体的な一例として、本実施形態の場合、メインパネル２の画素数は１２８画素（Ｘ方向）×１２８画素（Ｙ方向）であり、セグメント電極１９の本数は１２８本×３色＝３８４本であり、コモン電極１５の本数は１２８本である。一方、サブパネル３の画素数は６４画素（Ｘ方向）×６４画素（Ｙ方向）であり、セグメント電極３７の本数は６４本×３色×２（２重マトリクス構造）＝３８４本であり、コモン電極３５の本数は６４本÷２（２重マトリクス構造）＝３２本である。したがって、サブパネル３に２重マトリクス構造を適用しない場合と比較すると、セグメント電極３７の数をメインパネル２のセグメント電極１９の数と同じとすることができ、これによりセグメント電極同士の間で容量や抵抗のバラツキ等が生じない、良好な表示特性の得られる液晶モジュールを提供することが可能になる。また、コモン電極３５の本数を３２本減らすことができるため、メインパネル２の狭額縁化も可能になる。
【００５０】
［電子機器］
以下、上記実施形態の液晶モジュールを備えた電子機器の例について説明する。
図９は、電子機器の一例である携帯電話機を示した模式図である。この携帯電話機３００は、第１の筐体３０１と第２の筐体３０２とを有する折畳式の携帯電話機である。第１の筐体３０１と第２の筐体３０２とは各々の縁端部にてヒンジ３０３を介して連結される。利用者は、図９（ａ）に示されるように第１の筐体３０１が第２の筐体３０２に対して約１８０度に開かれた状態（開状態）から、ヒンジ３０３を軸として第１の筐体３０１を第２の筐体３０２側に回転させることにより、図９（ｂ）に示されるように第１の筐体３０１と第２の筐体３０２とが互いに対向する状態（閉状態）となるように電子機器３００を折り畳むことができる。
【００５１】
第２の筐体３０２のうち閉状態にて第１の筐体３０１と対向する面には、利用者によって操作される複数の操作子３０４と利用者が音声を入力するためのマイクロフォン３０５とが配置される。一方、第１の筐体３０１には、無線通信を行なうためのアンテナ３０６や音声を出力するスピーカ３０７が配置されるほか、画像表示部として上記実施形態の液晶モジュール１（電気光学装置）が収容される。この液晶モジュール１は、メインパネル２とサブパネル３とを有する。メインパネル２及びサブパネル３の各々は種々の画像を表示するための表示パネルである。第１の筐体３０１のうち閉状態において第２の筐体３０２と対向する面には開口部３０８が形成される。図９（ａ）に示すように、メインパネル２はその表示面が開口部３０８の内側に位置するように配置される。一方、第１の筐体３０１のうち開口部３０８とは反対側の面には、図９（ｂ）に示すように開口部３０９が形成されている。サブパネル３は、その表示面が開口部３０９の内側に位置するように配置される。利用者は、開口部３０８を介してメインパネル２による表面画像を視認するとともに、開口部３０９を解してサブパネル３による表示画像を視認することができる。
【００５２】
図９に示した電子機器は、上記実施形態の液晶モジュール１を用いた画像表示部を備えているので、特にメインパネル２において額縁領域が狭く且つサブパネル３においても表示品質の高い画像表示部を備えた電子機器を実現することができる。
【００５３】
なお、本発明の電気光学装置は、前述した携帯電話に限らず、種々の電子機器に搭載することができる。この電子機器としては例えば、電子ブック、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等があり、前記電気光学装置はこれら画像表示手段として好適に用いることができる。
【００５４】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００５５】
例えば、上記実施の形態では、メインパネル２がカラー表示、サブパネル３が白黒表示又はカラー表示を行う例を示したが、各パネルとカラー表示、白黒表示との組み合わせはいずれであっても良い。例えば、第２実施形態又は第３実施形態においてメインパネル２及びサブパネル３がともに白黒表示の場合には、色調整の効果は得られないものの、メインパネル２のセグメント電極間で生じる駆動能力のバラツキに起因して白黒表示の表示ムラが発生するのを防止することができる。また、カラー表示は赤、緑及び青の３色に限らず、４色以上の複数色（すなわちカラーフィルタが４色以上の複数の着色層を含む構成）とすることも可能である。
【００５６】
また、上記実施の形態では、メインパネル２及びサブパネル３がともにパッシブマトリクス方式の例を挙げたが、アクティブマトリクス方式の液晶パネルに本発明を適用しても良い。アクティブマトリクス方式の場合、配線幅の変更の対象がデータ線や走査線となり、これらの配線幅の変更が直接サブ画素の面積の違いになるわけではないが、やはり駆動能力のバラツキに起因して表示ムラが発生するのを回避することができる。
【００５７】
また、上記実施の形態では、緑色のサブ画素に対応するセグメント電極の幅を赤色や青色のサブ画素に対応するセグメント電極の幅よりも小さくしたが、必ずしも小さくする必要はなく、全ての幅を等しくした構成も考えられる。その場合でも、サブパネル３側のセグメント電極３７に接続されたセグメント電極１９ａに対応するサブ画素を赤色、緑色、サブパネル３側のセグメント電極３７に接続されていないセグメント電極１９ｂに対応するサブ画素を青色に統一したことによって、例えばバックライトの光の色味を黄緑色が強くなるように適宜調整すれば、表示色の調整が可能となり、色ムラを低減させることができる。
【００５８】
また、上記実施の形態では、メインパネル２及びサブパネル３を駆動する駆動用ＩＣ６をメインパネル２の基板１１上に直接実装したが、この代わりに駆動用ＩＣ６をメインパネル２に接続したフレキシブル基板７上に実装することも可能である。
【００５９】
さらに、上記実施形態では、電気光学装置の一例として、２枚の液晶パネルを用いた液晶モジュールを例を説明したが、本発明はこれに限定されず、有機ＥＬパネル等の他の電気光学パネルを用いた電気光学装置に本発明を適用することが可能である。
【図面の簡単な説明】
【００６０】
【図１】第１実施形態に係る液晶モジュールの全体構成を示す斜視図である。
【図２】同液晶モジュールの断面図である。
【図３】同液晶モジュールを展開した状態で示す概略平面図である。
【図４】図３の詳細平面図である。
【図５】同液晶モジュールの各パネルの表示領域を示す平面図である。
【図６】第２実施形態に係る液晶モジュールの表示領域を示す平面図である。
【図７】第３実施形態に係る液晶モジュールの表示領域を示す平面図である。
【図８】第４実施形態に係る液晶モジュールの表示領域を示す平面図である。
【図９】電子機器の一例を示す斜視図である。
【符号の説明】
【００６１】
１…液晶モジュール（電気光学装置）、２…メインパネル（第１パネル）、３…サブパネル（第２パネル）、６…駆動用ＩＣ（駆動用半導体素子）、１５…コモン電極（第１走査線）、１７…カラーフィルタ、１９…セグメント電極（データ線）、１９ａ…セグメント電極（第１データ線）、１９ｂ…セグメント電極（第２データ線）、３５…コモン電極（第２走査線）、３７，３７１，３７２…セグメント電極（データ線）、Ｄｒ，Ｄｇ，Ｄｂ…サブ画素、Ｐ１，Ｐ２…画素
【図１】
2007156126.tif 000003
【図２】
2007156126.tif 000004
【図３】
2007156126.tif 000005
【図４】
2007156126.tif 000006
【図５】
2007156126.tif 000007
【図６】
2007156126.tif 000008
【図７】
2007156126.tif 000009
【図８】
2007156126.tif 000010
【図９】
2007156126.tif 000011